(57)【要約】【課題】プラスチック製蓋付き食器において、振動や衝撃により蓋体がずれたり、転倒するのを防止することを目的とする。【解決手段】プラスチック製蓋付き食器において、蓋体を内装タイプに形成するとともに、その周縁部に滑動防止層を設けた滑り止め防止蓋付き食器とする。【選択図】図３
0003133262.tif 000002
【実用新案登録請求の範囲】
【請求項１】
プラスチック製蓋付き食器において、蓋体を内装タイプに形成するとともに、その周縁部に滑動防止層を設けたことを特徴とする滑り止め防止蓋付き食器。
【考案の詳細な説明】
【技術分野】
【０００１】
本考案は、滑り止め防止加工した蓋体を有するプラスチック製食器に関するものである。
【背景技術】
【０００２】
学校や病院や老人施設の給食においては、作業の安全化、効率化をはかるために、プラスチック製食器が使われることが多い。ところで、食器に食事を収納したとき、内容物に菌や汚物で汚染するのを防止したり、内容物を冷めにくくするために蓋をする必要があるが、プラスチック製食器の場合、陶磁器製の食器と異なり、軽量である上に、本体と蓋体との接触部の摩擦が少なく、滑りやすいため、運搬中の振動や、物体との接触によって、しばしば蓋体がはずれたり、引っくり返るというトラブルを生じる。
【０００３】
そのため、通常、陶磁器の内装タイプの蓋物の場合と同じような本体−蓋体の組合せにおいては、食器本体の内側に段を付し、蓋体をその上にのせて支持させることが行われているが、このように本体に段を付すると、その個所に汚れが着きやすくなるという欠点を生じる。
このような欠点を避けるために、外嵌合タイプの蓋体や、内嵌合タイプの蓋体を用いることも行われているが、外観がそこなわれる上に、蓋体の加工が複雑になり、コスト高になるのを免れない。
図４に従来の落としタイプ蓋付き食器の断面図、図５に外嵌合タイプ蓋付き食器の断面図を、図６に内嵌合タイプ蓋付き食器の断面図を示す。これらの図において、１は本体、２は蓋体である。
【０００４】
したがって、簡単な形状で、しかも振動や衝撃によって、ずれや脱落することがなく、しかも使用時には簡単に取り除くことができる蓋付き食器の出現に対する要望が高まってきている。
【０００５】
他方、陶磁器製の食器について、載置部を周設した開口部を備えた容器本体と、その載置部に載置可能な鍔部を周設し、蓋体にシリコーンゴム層を施して、衝接したときの音の発生を防止し、容器の密閉度を高め、内容物の変質や臭気の漏洩を防止したものが提案されている（特許文献１参照）。
しかしながら、プラスチック製食器の蓋体の滑り止めや転倒を防止するための加工を施したものについては、これまでまったく知られていない。
【０００６】
【特許文献１】特開平７−１７２４５３号公報（特許請求の範囲その他）
【考案の開示】
【考案が解決しようとする課題】
【０００７】
本考案は、プラスチック製蓋付き食器において、振動や衝撃により蓋体がずれたり、転倒するのを防止することを目的としてなされたものである。
【課題を解決するための手段】
【０００８】
本考案者らは、従来のプラスチチック製蓋付き食器が有する欠点を克服し、本体に段を設けることなしに、振動や衝撃により蓋体のずれや転倒を防止しうる食器を開発するために種々研究を重ねた結果、食器の蓋体を内装タイプに形成するとともに、蓋体の周縁部に滑動防止層を設けることにより、特に食器本体に蓋を支持する段を設けることなく、その目的を達成し得ることを見出し、その知見に基づいて本発明をなすに至った。
【０００９】
すなわち、本考案は、プラスチック製蓋付き食器において、蓋体を内装タイプに形成するとともに、その周縁部に滑動防止層を設けたことを特徴とする滑り止め防止蓋付き食器を提供するものである。
【００１０】
次に、本考案を図面に従って説明する。
図１は、内装タイプ蓋体２の側方部分断面図であり、図２は裏面図であり、図３は蓋体２が食器本体１に嵌合した状態を示す側方断面図である。これらの図から分るように、内装タイプの蓋体としたことにより、本考案の蓋体は、前述した落としタイプに比べ段がなく、非常にシンプルな構造になっている。
本考案においては、このような構造の蓋体の周縁部に滑動防止層３が設けられ、これが食器本体の内側面に密着することによって、ずれや転倒を起さないようになっている。
【００１１】
本考案の食器の本体１及び蓋体２は、プラスチックを素材とするものであるが、このプラスチックとしては、例えば、ポリエチレン、ポリプロピレン、アクリル樹脂、ウレタン樹脂、尿素樹脂、メラミン樹脂、ポリカーボネート樹脂などが用いられる。
【００１２】
また、蓋体の周縁部に設けられる滑動防止層３は、例えば、ポリクロロプレン系、アクリロニトリルゴム系、ブタジエン−スチレンゴム系、天然ゴム系、フッ素ゴム系、シリコーンゴム系などのエラストマーによって形成させることができる。このエラストマーとしては、ＪＩＳ−Ａ形による硬さが２０以上、好ましくは３０以上、引張強さ２０ｋｇｆ／ｃｍ2以上好ましくは３０ｋｇｆ／ｃｍ2以上、伸び２００％以上好ましくは２５０％以上をもつものが用いられる。
【００１３】
この滑動防止層は、層厚０．１〜２ｍｍ、好ましくは０．２〜１ｍｍに形成させることが必要である。これよりも薄い場合には、滑動防止効果が不十分になるし、またこれよりも厚い場合には、汚れが付着しやすくなる上に、外観が不良になる。この滑動防止層には、所望に応じ着色剤を配合して、着色することもでき、このようにすれば、装飾も兼ねることができ、商品価値を一層高めることができる。
【００１４】
この滑動防止層は、例えば硬化後に、接触したときに若干の弾力を感じる程度の粘着性を有するエラストマーを与える接着性組成物を塗布し、硬化させることによって形成することができる。
【００１５】
このような接着性組成物は、上記の物性のエラストマーを生じ、プラスチックを素材とする蓋体に強固に接着するものである限り、特に制限はないが、短時間で硬化し、硬化後に良好な耐熱性、耐水性、耐薬品性を示すものであることが必要であり、かつ帯電防止性を有するものが好ましい。
【００１６】
このようなものは、シアノアクリレート系接着剤、ニトリル−エポキシ系接着剤、フェノール性ニトリルゴム接着剤、フェノール性クロロプレン接着剤、ポリウレタン系接着剤などとして市販されているが、特に好適なのは、接着性液状シリコーンゴム組成物である。この接着性液状シリコーンゴム組成物の例としては、炭素数１〜１８のアルキル基と炭素数２〜８のアルケニル基をもつポリアルキルアルケニルシロキサンや、炭素数１〜１８のアルキル基をもつポリアルキル水素などを挙げることができる。
【００１７】
これらの接着性組成物は、市販品例えば一液型ＲＴＶゴム（信越化学工業株式会社製）、一液性の接着性液状シリコーンゴムＴＳＥ３２ＸＸシリーズ、二液性の型取り用液状シリコーンゴム（いずれも東芝シリコーン株式会社製）やセメダインスーパーＸ（セメダイン株式会社製）として入手しうるものをそのまま、又は希釈して利用することができる。また、所望に応じ、架橋促進触媒、接着性向上剤、無機充てん剤などの補助成分を添加して用いることもできる。
【００１８】
これらの接着性組成物を蓋体の周縁部に施すには、ロールコーター、ドクターナイフ、刷毛などの塗装器具を用いて塗布してもよいし、また吹き付け、あるいは、必要部分を接着性組成物に浸漬して行うこともできる。
この際、蓋体を本体に嵌合したときの通気口のために、周縁部の接着性組成物の接着部分を一部切欠させることもできる。
【考案の効果】
【００１９】
本考案によれば、プラスチック製蓋付き食器の蓋体及び本体に対し、特別の成形加工による、嵌合のための鍔部や支持のための段部などを設けることなく、単に通常の蓋体の周縁部に滑動防止層を設けるだけで、振動や衝撃による蓋体のずれや転倒を効果的に防止することができる。
【考案を実施するための最良の形態】
【００２０】
次に、実施例により本考案を実施するための最良の形態を説明するが、これにより本考案は何ら限定されるものではない。
【実施例１】
【００２１】
図１ないし図３に示す形状をもつ、直径８０ｍｍ、高さ１０ｍｍ、つまみ部分４の径３０ｍｍ、高さ８ｍｍの蓋体を、メラミン樹脂の圧縮成形により製造した。また、この蓋体を嵌合させる本体（直径９０ｍｍ、高さ７０ｍｍ）を同じくメラミン樹脂の圧縮成形により製造した。
次に、セメダイン・シリコーンシーラント（セメダイン社製、商品名「セメダインスーパーＸ」）を、蓋体の周縁部に厚さ０．２ｍｍ、幅１ｍｍで塗布し、硬化させた。
このようにして、製造した蓋付き食器の７分目まで、味噌汁を満たし、蓋体を内装し、振動板上に載置し、振幅２０ｍｍ、サイクル１００回／分で１０分間振動試験したが、蓋体は本体に強固に密着し、ずれをまったく生じることはなかった。また、内容物も全然漏れなかった。
【産業上の利用可能性】
【００２２】
本考案の食器は、学校給食用、病院及び老人施設の給食用として好適に利用することができる。
【図面の簡単な説明】
【００２３】
【図１】本考案の蓋体の側方部分断面図。
【図２】本考案の蓋体の裏面図。
【図３】本考案の蓋体及び本体が嵌合した状態を示す側方断面図。
【図４】従来の落としタイプの蓋体と食器本体との嵌合状態を示す側方断面図。
【図５】従来の外嵌合タイプの蓋体と食器本体との嵌合状態を示す側方断面図。
【図６】従来の内嵌合タイプの蓋体を食器本体との嵌合状態を示す側方断面図。
【符号の説明】
【００２４】
１  食器本体
２  蓋体
３  滑動防止層
４  蓋体つまみ部
【図１】
0003133262.tif 000003
【図２】
0003133262.tif 000004
【図３】
0003133262.tif 000005
【図４】
0003133262.tif 000006
【図５】
0003133262.tif 000007
【図６】
0003133262.tif 000008